(57)【要約】【課題】  冷房運転または除湿運転の終了後における乾燥運転に要する時間を短縮するとともに、消費電力を低減することができる室内機ユニットおよび空気調和機を提供する。【解決手段】  冷媒と室内空気との間で熱交換を行なう室内熱交換器１１ａ，１１ｂ，１１ｃと、室内空気を室内熱交換器１１ａ，１１ｂ，１１ｃに導通させる室内ファン１３と、吸込み空気における露点温度を算出する露点温度検出部２３と、室内熱交換器１１ａ，１１ｂ，１１ｃまたは室内熱交換器１１ａ，１１ｂ，１１ｃと熱交換後の室内空気の少なくとも一方の温度を検出する温度検出部２９と、を有する室内機ユニット３であって、室内熱交換器１１ａ，１１ｂ，１１ｃへの冷媒の供給が停止された後に、室内ファン１３を駆動して筐体９内への室内空気の供給が開始され、温度検出部２９により検出された温度が露点温度より高くなったら室内ファン１３が停止されることを特徴とする。【選択図】  図２
2006317113.tif 000002
【特許請求の範囲】
【請求項１】
筐体と、
外部から供給された冷媒と室内空気との間で熱交換を行なう室内熱交換器と、
前記筐体の外部から吸込んだ前記室内空気を前記室内熱交換器に導通させる室内ファンと、
前記室内熱交換器を通過する前の吸込み空気における露点温度を検出する露点温度検出部と、
前記室内熱交換器または前記室内熱交換器と熱交換を行なった室内空気の少なくとも一方の温度を検出する温度検出部と、を有する室内機ユニットであって、
前記室内熱交換器への前記冷媒の供給が停止された後に、前記室内ファンを駆動して前記筐体内への前記室内空気の供給が開始され、
前記温度検出部により検出された温度が前記露点温度より高くなった場合に、前記室内ファンが停止されることを特徴とする室内機ユニット。
【請求項２】
前記温度検出部が、前記筐体から吹き出される前記室内空気の温度を検出する吹き出し空気温度検出部であること特徴とする請求項１記載の室内機ユニット。
【請求項３】
前記温度検出部が、前記室内熱交換器の温度を検出する熱交換器温度検出部であることを特徴とする請求項１または２に記載の室内機ユニット。
【請求項４】
前記室内熱交換器への前記冷媒の供給が停止された後に、
前記温度検出部により検出された温度が前記露点温度より低い場合に、前記室内ファンの駆動が開始されることを特徴とする請求項１から３のいずれかに記載の室内機ユニット。
【請求項５】
前記筐体における前記室内空気が吹き出される吹出口に、前記室内空気の流れを制御する案内板が配置され、
前記室内熱交換器への前記冷媒の供給が停止された後であって、前記室内ファンが駆動される前に、前記案内板が前記吹出口を塞ぐことを特徴とする請求項１から４のいずれかに記載の室内機ユニット。
【請求項６】
前記露点温度検出部が、前記吸込み空気の温度を検出する吸込み空気温度検出部と、前記吸込み空気の相対湿度を検出する吸込み空気湿度検出部と、を有することを特徴とする請求項１から５のいずれかに記載の室内機ユニット。
【請求項７】
請求項１から請求項６のいずれかに記載の室内機ユニットと、
前記冷媒を圧縮して前記室内熱交換器に供給する圧縮機と、前記冷媒と室外空気との間で熱交換を行なう室外熱交換器と、を有する室外機ユニットと、
からなることを特徴とする空気調和機。
【発明の詳細な説明】
【技術分野】
【０００１】
本発明は、室内機ユニットおよび空気調和機に関する。
【背景技術】
【０００２】
一般に、空気調和機において冷房運転や除湿運転（以後、冷房運転等と表記する。）を行う場合、室内機ユニット内に配置された室内熱交換器には低温の冷媒が供給されており、この低温の冷媒と室内空気との熱交換を行なうことで、室内空気を冷却したり室内空気の除湿を行なったりしている。冷却または除湿された室内空気は、室内機ユニット内に配置された室内ファンにより、室内機ユニットから室内へ送風されている。
【０００３】
上述の冷房運転等が行なわれている間、または、冷房運転等が終了して間もない間は、低温の冷媒により冷却された室内熱交換器には、空気中の水分が結露しやすくなっている。また、冷却または除湿された室内空気と接触して冷却された室内ファンや室内機ユニットのケーシングなどの部材にも結露しやすくなっている。特に、冷房運転等が終了して間もない期間は、室内機ユニット内に空気が流通しないため、結露しやすいとともに結露した水分が蒸発しにくくなっている。
【０００４】
このようにして室内機ユニット内に結露が発生すると、埃などが付着して、カビなどの雑菌が発生・繁殖するという問題があった。さらに、発生・繁殖した雑菌等が原因となる不快な臭いが発生するという問題があった。
そのため、室内機ユニット内に発生した結露を放置せず、積極的に蒸発させるさまざまな技術が提案されている（例えば、特許文献１参照。）。
【特許文献１】特開２００５−１６８３０号公報
【発明の開示】
【発明が解決しようとする課題】
【０００５】
上述の特許文献１においては、冷房運転等の最中に、室外空気温度が室内温度より低く、かつ、室外露点温度が熱交換器温度よりも低いとき、吸気ファンを運転して室外空気を室内機ユニット内に供給する技術が開示されている。
この技術によれば、室内空気よりも絶対湿度の低い室外空気を室内機ユニット内に供給することで、室内機ユニット内の水分を短期間で蒸発させることができる。
【０００６】
しかしながら、上述の技術においては、室外空気を供給できる条件が限られており、室内機ユニット内の水分を蒸発できるタイミングが限られるという問題があった。
【０００７】
また、冷房運転等の終了後に所定時間の暖房運転を行うことで、室内機ユニット内に付着した水分に温風を吹きつけ、所定時間で水分を蒸発させる乾燥運転を行う技術も知られている。この技術によれば、冷房運転またはドライ運転の終了後、すぐに室内機ユニット内の水分を蒸発させることができる。また、室内機ユニット内の室内ファン等の温度を上昇させることができ、乾燥運転終了後に再び結露することを防止できる。
しかしながら、乾燥運転（暖房運転）を行なうためには、コンプレッサで圧縮された高温冷媒を室内熱交換器に供給する必要があり、コンプレッサを駆動する必要があった。そのため、当該空気調和機において、水分を蒸発させるために消費される電力が上述の特許文献１に記載された空気調和機より多くなるという問題があった。
【０００８】
さらに、冷房運転等の終了後に、室内ファンのみを所定時間運転（乾燥運転）することで、室内空気を室内機ユニットに流通させ、水分を蒸発させる技術も知られている。この技術によれば、冷房運転等の終了後に暖房運転を行なう技術と比較して、水分を蒸発させるために消費される電力を低減できる。
しかしながら、室内機ユニット内に付着する水分の量が一定ではないことや、室内空気の温度、相対湿度が一定でないことから、乾燥運転時間（室内ファンの運転時間）を必要以上に長くする必要があった。また、室内空気を室内機ユニットに流通させるため、室内ファン等の温度上昇が遅いため、上述の暖房運転による乾燥運転と比較して、乾燥時間が長くなるという問題があった。そのため、水分が蒸発した後も室内ファンを長時間運転することとなり、不必要な電力を消費していたという問題があった。
【０００９】
本発明は、上記の課題を解決するためになされたものであって、冷房運転または除湿運転の終了後における乾燥運転に要する時間を短縮するとともに、消費電力を低減することができる室内機ユニットおよび空気調和機を提供することを目的とする。
【課題を解決するための手段】
【００１０】
上記目的を達成するために、本発明は、以下の手段を提供する。
本発明の室内機ユニットは、筐体と、外部から供給された冷媒と室内空気との間で熱交換を行なう室内熱交換器と、前記筐体の外部から吸込んだ前記室内空気を前記室内熱交換器に導通させる室内ファンと、前記室内熱交換器を通過する前の吸込み空気における露点温度を検出する露点温度検出部と、前記室内熱交換器または前記室内熱交換器と熱交換を行なった室内空気の少なくとも一方の温度を検出する温度検出部と、を有する室内機ユニットであって、前記室内熱交換器への前記冷媒の供給が停止された後に、前記室内ファンを駆動して前記筐体内への前記室内空気の供給が開始され、前記温度検出部により検出された温度が前記露点温度より高くなった場合に、前記室内ファンが停止されることを特徴とする。
【００１１】
本発明によれば、温度検出部により検出された温度が上記露点温度より高くなったら前記室内ファンが停止されるため、室内熱交換器への前記冷媒の供給が停止された後に行なわれる室内ファンの駆動（以後、乾燥運転と表記する。）時間を短くすることができる。
つまり、室内熱交換器または室内熱交換器と熱交換した室内空気の少なくとも一方の温度が上記露点温度より高くなった時点で、室内ファン等に付着した水分は全て蒸発し、さらに、再び室内ファン等に結露が発生することがないため、乾燥運転を終了することができる。そのため、乾燥運転に要する時間を必要最小限に抑えることができる。
【００１２】
室内ファンにより筐体内へ室内空気が供給されるため、特許文献１に記載された技術と比較して、冷房運転等終了後すぐに室内機ユニット内の水分を蒸発させることができる。また、室内空気が有する熱により、室内機ユニット内の室内ファン等の温度を露点温度より高くすることができ、乾燥運転終了後に再び結露することを防止できる。
一方、室内ファンを駆動するだけなので、乾燥運転として暖房運転を行なう技術と比較して、水分を蒸発させるために消費される電力を低減できる。
【００１３】
上記発明においては、前記温度検出部が、前記筐体から吹き出される前記室内空気の温度を検出する吹き出し空気温度検出部であることが望ましい。
本発明によれば、吹き出し空気温度検出部により検出された筐体から吹き出される室内空気（以後、吹き出し空気と表記する。）の温度は、室内ファン等の温度と略同じ温度のため、吹き出し空気温度に基づいて乾燥運転の終了を決定することにより、室内ファン等に結露が発生しない状態になるまで乾燥運転を継続できる。つまり、室内ファン等に結露が発生しない状態になりしだい、すぐに乾燥運転を終了できるため、乾燥運転時間の短縮が図れる。
【００１４】
上記発明においては、前記温度検出部が、前記室内熱交換器の温度を検出する熱交換器温度検出部であることが望ましい。
本発明によれば、室内熱交換器の温度は、室内ファン等の温度よりも低いため、室内熱交換器温度に基づいて乾燥運転の終了を決定することにより、室内ファン等に結露が発生しない状態になるまで乾燥運転を継続できる。つまり、室内ファン等に結露が発生しない状態になりしだい、すぐに乾燥運転を終了できるため、乾燥運転時間の短縮が図れる。
【００１５】
上記発明においては、前記室内熱交換器への前記冷媒の供給が停止された後に、前記温度検出部により検出された温度が前記露点温度より低い場合に、前記室内ファンの駆動が開始されることが望ましい。
本発明によれば、温度検出部により検出された温度が露点温度より低い場合に、室内ファンの駆動を開始することにより、室内ファン等に結露が発生することを防止できる。一方、温度検出部により検出された温度が露点温度より高い場合には、室内ファンを駆動しないため、消費電力の低減を図ることができる。
【００１６】
上記発明においては、前記筐体における前記室内空気が吹き出される吹出口に、前記室内空気の流れを制御する案内板が配置され、前記室内熱交換器への前記冷媒の供給が停止された後であって、室内ファンが駆動される前に、前記案内板が前記吹出口を塞ぐことが望ましい。
【００１７】
本発明によれば、上記乾燥運転時に案内板が吹出口を塞ぐため、乾燥運転時に水分を多量に含んだ吹き出し空気が、遠方へ吹き出されることを防止できる。そのため、室内にいる使用者に水分を多量に含んだ吹き出し空気が当ることを防止でき、使用者が不快を感じることを防止できる。
【００１８】
上記発明においては、前記露点温度検出部が、前記吸込み空気の温度を検出する吸込み空気温度検出部と、前記吸込み空気の相対湿度を検出する吸込み空気湿度検出部と、を有することが望ましい。
本発明によれば、吸込み空気温度検出部により検出された吸込み空気の温度と、吸込み空気湿度検出部により検出された吸い込み空気の相対湿度と、に基づいて、吸込み空気の露点温度を推定することができる。
【００１９】
本発明の空気調和機は、上記本発明の室内機ユニットと、前記冷媒を圧縮して前記室内熱交換器に供給する圧縮機と、前記冷媒と室外空気との間で熱交換を行なう室外熱交換器と、を有する室外機ユニットと、からなることを特徴とする。
【００２０】
本発明によれば、上記本発明の室内機ユニットを有するため、室内機ユニット内の水分を蒸発させる乾燥運転時間を短くすることができるとともに、乾燥運転で消費される消費電力を軽減することができる。
【発明の効果】
【００２１】
本発明の室内機ユニットおよび空気調和機によれば、温度検出部により検出された温度が上記露点温度より高くなったら前記室内ファンが停止されるため、乾燥運転時間を短くできるという効果を奏するとともに、消費電力を軽減できるという効果を奏する。
室内ファンを駆動して室内空気を筐体内に供給するため、乾燥運転をすぐに開始でき、乾燥運転に要する時間を短縮できるという効果を奏する。
乾燥運転においては、室内ファンを駆動するだけなので、消費される電力を低減できるという効果を奏する。
【発明を実施するための最良の形態】
【００２２】
以下、本発明の室内機ユニットおよびそれを備えた空気調和機について図１から図３を参照して説明する。
図１は、本発明の空気調和機における一実施形態を説明する概略図である。
空気調和機１は、図１に示すように、室内機ユニット３および室外機ユニット５から概略構成されている。これら室内機ユニット３および室外機ユニット５は、冷媒が導通する冷媒配管７や図示しない電気配線などにより接続されている。冷媒配管７は２本備えられており、一方の冷媒配管７は、冷媒を室内機ユニット３から室外機ユニット５へ流通させるように配置され、他方の冷媒配管７は、冷媒を室外機ユニット５から室内機ユニット３へ流通させるように配置されている。
【００２３】
図２は、図１の空気調和機における室内機ユニット３の構成を説明する断面図である。
室内機ユニット３は、図１および図２に示すように、背面のベース（図示せず）と前面パネル（筐体）９とが一体に構成され、上記ベースには、プレートフィンチューブ型の室内熱交換器１１ａ，１１ｂ，１１ｃ、略円筒形状のクロスフローファン（室内ファン）１３、クロスフローファン１３などを駆動制御する制御部１４などの各種機器が備えられている。
【００２４】
前面パネル９には吸込グリル部１５が前面および上面に形成され、吸込グリル部１５の背後にはエアフィルタ１７が備えられている。これにより、室内の空気を多方向から室内機ユニット３内に吸い込むことができ、吸い込まれた空気に含まれる粉塵を取り除くことができる。
エアフィルタ１７と室内熱交換器１１ｂとの間には、室内機ユニット３に吸込まれた室内空気の温度を検出する吸込み空気温度検出部１９と、吸込まれた空気の相対湿度を検出する吸込み空気湿度検出部２１と、を有する吸込み空気の露点温度を検出する露点温度検出部２３が配置されている。なお、吸込み空気温度検出部１９としては、熱伝対などの公知な温度センサを用いることができ、吸込み空気湿度検出部２１としては、公知な湿度センサを用いることができ、特に限定するものではない。
【００２５】
室内熱交換器１１ａ，１１ｂ，１１ｃは、低温低圧の冷媒または高温高圧の冷媒が流通する冷媒配管（図示せず）と、冷媒配管に取り付けられたフィン（図示せず）とから概略構成されている。これらフィンおよび冷媒配管の間には隙間が形成され室内空気が通過できるように構成されている。
室内熱交換器１１ａ，１１ｂ，１１ｃには、その温度を検出する室内熱交換器温度検出部２５が配置されている。室内熱交換器温度検出部２５は、上記冷媒配管に直接配置され、ロウ付けなどの公知の方法で固定されている。なお、室内熱交換器温度検出部２５としては、熱伝対などの公知な温度センサを用いることができ、特に限定するものではない。
【００２６】
クロスフローファン１３は、室内機ユニット３内部に回転駆動可能に配置されている。クロスフローファン１３は回転駆動されることにより、吸込グリル部１５から室内熱交換器１１ａ等を介して室内空気を吸入する。吸入された室内空気は、吹出口２７から室内に吹き出される。
【００２７】
前面パネル９の下方には吹出口２７が形成されており、室内熱交換器１１ａ，１１ｂ，１１ｃを通過した空気がここから室内に吹き出される。
吹出口２７には、そこを通過する空気の温度を検出する吹き出し空気温度検出部２９が配置されている。また、吹出口２７には、吹出方向を調整するため、周知の吹出ルーバー３１および吹出フラップ（案内板）３３が設けられている。なお、吹出フラップ３３の動作により、吹出口２７が開閉される。
なお、吹き出し空気温度検出部２９としては、熱伝対などの公知な温度センサを用いることができ、特に限定するものではない。
【００２８】
室外機ユニット５は、図１に示すように、室外熱交換器３５、プロペラファン３７、圧縮機３９などが備えられている。
圧縮機３９は、低温低圧の気体冷媒を吸入して高温高圧の気体冷媒に変換して吐出するものであり、冷媒回路を構成する部品の中では最も中心的な働きを担うものである。ちなみに、冷媒回路とは、この圧縮機３９に加えて、室内熱交換器１１ａ，１１ｂ，１１ｃ、室外熱交換器３５、冷媒配管７、膨張弁および冷媒の流れ方向を規定する四方弁（膨張弁および四方弁は図示せず）などから概略構成され、冷媒を室内機ユニット３と室外機ユニット５との間で循環させる回路である。
【００２９】
次に、上記の構成からなる空気調和機１における作用について説明する。
まず、冷房運転およびドライ運転時における空気調和機１の作用について説明する。
リモートコントローラ４０から送信された冷房運転またはドライ運転の開始信号が制御部１４に入力されると、制御部１４は、圧縮機３９や、クロスフローファン１３など、所定の機器に対して駆動信号を出力する。
【００３０】
冷媒は、図１に示すように、室外機ユニット５の圧縮機３９により圧縮され、高温高圧の気体冷媒として室外熱交換器３９に向けて吐出される。室外熱交換器３９に流入した冷媒は、室外熱交換器３９を通過する室外空気にその熱を放出し液化した後、冷媒配管７を通って室内機ユニット３に向けて室外熱交換器３９から流出する。
【００３１】
室外熱交換器３９から流出した冷媒は、膨張弁（図示せず）により減圧され、室内機ユニット３に配設された室内熱交換器１１ａ，１１ｂ，１１ｃに流入する。室内熱交換器１１ａ，１１ｂ，１１ｃに流入した液冷媒は、室内熱交換器１１ａ，１１ｂ，１１ｃを通過する室内空気から熱を奪い気化した後、冷媒配管７を通って室外機ユニット５に向けて室内熱交換器１１ａ，１１ｂ，１１ｃから流出する。
室外機ユニット５に流入した気体冷媒は、圧縮機３９に吸入され、圧縮されて再び室外熱交換器３９に向けて吐出される。
【００３２】
暖房運転時においては、冷媒は圧縮機３９に圧縮され、高温高圧の気体冷媒として室内熱交換器１１ａ，１１ｂ，１１ｃに向けて吐出される。室内熱交換器１１ａ，１１ｂ，１１ｃに流入した冷媒は、室内熱交換器１１ａ，１１ｂ，１１ｃを通過する室内空気に熱を放出し液化する。液化した冷媒は膨張弁により減圧された後、室外熱交換器３９に流入する。室外熱交換器３９に流入した冷媒は、プロペラファン３７により導風された室外空気から熱を奪い気化した後、圧縮機３９に吸入され、圧縮されて再び室内熱交換器１１ａ，１１ｂ，１１ｃに向けて吐出される。
【００３３】
次に、本発明の特徴である、冷房運転またはドライ運転終了後における内部クリーン運転（乾燥運転）について説明する。
図３は、本実施形態における内部クリーン運転の制御を説明するフローチャートである。
【００３４】
まず、図１および図３に示すように、リモートコントローラ４０から送信された冷房運転またはドライ運転の停止信号と内部クリーン運転開始信号とが、制御部１４に受信される（ステップ１）。
【００３５】
制御部１４においては、吸込み空気温度検出部１９で検出した吸込み空気温度と、吸込み空気湿度検出部２１で検出した吸込み空気の相対湿度とを取得し、予め用意されていた露点温度決定テーブル４１に基づいて吸込み空気の露点温度を算出する（ステップ２）。
【００３６】
そして、室内熱交換器温度検出部２５により取得された室内熱交換器温度と、上記露点温度とを比較する。室内熱交換器温度が露点温度より高い場合には、内部クリーン運転を行なわずに終了する。一方、室内熱交換器温度が露点温度より低い場合には、内部クリーン運転を開始する（ステップ３）。
【００３７】
上述のように室内熱交換器温度が露点温度より低いと判断されると、制御部１４は、タンゼンシャルファン１３の運転を開始することにより内部クリーン運転を開始するとともに、吹出フラップ３３により吹出口２７を閉じる（ステップ４）。
【００３８】
内部クリーン運転が開始されると、制御部１４は、所定の間隔で、または、連続して吹き出し空気温度検出部２９から吹き出し空気温度を取得し、取得した吹き出し空気温度と露点温度とを比較する（ステップ５）。
ここで、吹き出し空気温度が露点温度より低ければ内部クリーン運転は継続される。一方、吹き出し空気温度が露点温度以上であれば、制御部１４は、内部クリーン運転を停止すると判断し、クロスフローファン１３を停止する（ステップ６）。
【００３９】
上記の構成によれば、吹き出し空気温度が上記露点温度より高くなったらクロスフローファン１３が停止されるため内部クリーン運転時間を短くすることができる。
つまり、吹き出し空気温度が露点温度より高くなった時点でクロスフローファン１３等の温度は露点温度より高くなり、クロスフローファン１３等に付着した水分は全て蒸発している。さらに、クロスフローファン１３等の温度は露点温度より高いため、内部クリーン運転を停止した後に、再びクロスフローファン１３等に結露が発生することがない。そのため、内部クリーン運転に要する時間を必要最小限に抑えることができる。
【００４０】
クロスフローファン１３により室内機ユニット３内へ室内空気が供給されるため、特許文献１に記載された技術と比較して、冷房運転終了後すぐに室内機ユニット３内の水分を蒸発させることができる。また、室内空気が有する熱により、室内機ユニット３内のクロスフローファン１３等の温度を露点温度より高くすることができ、内部クリーン運転終了後に再び結露することを防止できる。
一方、クロスフローファン１３を駆動するだけなので、乾燥運転（内部クリーン運転）として暖房運転を行なう技術と比較して、水分を蒸発させるために消費される電力を低減できる。
【００４１】
吹き出し空気温度検出部２９により検出された吹き出し空気温度は、クロスフローファン１３等の温度と略同じ温度のため、吹き出し空気温度に基づいて内部クリーン運転の終了を決定することにより、クロスフローファン１３等に結露が発生しない状態になるまで内部クリーン運転を継続できる。つまり、クロスフローファン１３等に結露が発生しない状態になりしだい、すぐに内部クリーン運転を終了できるため、内部クリーン運転時間の短縮が図れる。
【００４２】
室内熱交換器温度が露点温度より低い場合に、クロスフローファン１３の駆動を開始し、内部クリーン運転を開始することにより、クロスフローファン１３等に結露が発生することを防止できる。一方、室内熱交換器温度が露点温度より高い場合には、クロスフローファン１３を駆動しないため、内部クリーン運転に要する消費電力の低減を図ることができる。
【００４３】
内部クリーン運転時に吹出フラップ３３が吹出口２７を塞ぐため、内部クリーン運転時に水分を多量に含んだ吹き出し空気が、遠方へ吹き出されることを防止できる。そのため、室内にいる使用者に水分を多量に含んだ吹き出し空気が当ることを防止でき、使用者が不快を感じることを防止できる。
【００４４】
なお、上述のように、内部クリーン運転の停止を判断する際に、吹き出し空気温度と露点温度とを比較してもよいし、室内熱交換器温度と露点温度とを比較してもよい。
室内熱交換器温度は、クロスフローファン１３等の温度よりも低いため、室内熱交換器温度に基づいて内部クリーン運転の終了を決定することにより、クロスフローファン１３等に結露が発生しない状態になるまで内部クリーン運転を継続できる。つまり、クロスフローファン１３等に結露が発生しない状態になりしだい、すぐに内部クリーン運転を終了できるため、内部クリーン運転時間の短縮が図れる。
【００４５】
なお、上述のように内部クリーン運転の開始を判断する際に、室内熱交換器温度と露点温度とを比較して判断してもよいし、このような判断を行なわずに冷房運転またはドライ運転の終了後には、常に内部クリーン運転を開始することとしてもよく、特に限定するものではない。
【図面の簡単な説明】
【００４６】
【図１】本発明の空気調和機における一実施形態を説明する概略図である。
【図２】図１の空気調和機における室内機ユニットの構成を説明する断面図である。
【図３】本実施形態における内部クリーン運転の制御を説明するフローチャートである。
【符号の説明】
【００４７】
１  空気調和機
３  室内機ユニット
５  室外機ユニット
９  前面パネル（筐体）
１１ａ，１１ｂ，１１ｃ  室内熱交換器
１３  クロスフローファン（室内ファン）
１９  吸込み空気温度検出部
２１  吸込み空気湿度検出部
２３  露点温度検出部
２５  室内熱交換器温度検出部
２７  吹出口
２９  吹き出し空気温度検出部
３３  吹出フラップ（案内板）
【図１】
2006317113.tif 000003
【図２】
2006317113.tif 000004
【図３】
2006317113.tif 000005